(57)【要約】【課題】コネクタ本体とカバー部材とを組み合わせて成り、カード挿入口に沿って滑動可能な飛出し防止蓋を有する飛出し防止機構を設けることにより、振動や衝撃等でカードが飛出すのを防止して、コンタクト接触部がカードパッド部から脱落すること無く接触されるカードコネクタを構成することにある。【解決手段】コネクタ本体と、該コネクタ本体に組合せられるカバー部材と、前記コネクタ本体に配設されたコンタクト端子と、前記コネクタ本体のカード挿入口側に配設されたカード飛出し防止機構と、によって形成されるカードコネクタにおいて、前記カード飛出し防止機構は、前記コネクタ本体のカード挿入口に沿って滑動可能に設けられたカード押さえ蓋を有する。【選択図】　　　　図１
2004087480.tif 000002
【特許請求の範囲】
【請求項１】
コネクタ本体と、前記コネクタ本体に組合せられるカバー部材と、前記コネクタ本体に配設されたコンタクト端子と、前記コネクタ本体のカード挿入口側に配設されたカード飛出し防止機構と、によって形成されるカードコネクタにおいて、
前記カード飛出し防止機構は、前記コネクタ本体のカード挿入口に沿って滑動可能に設けられたカード押さえ蓋を有することを特徴とするカードコネクタ。
【請求項２】
前記カード押さえ蓋は、弾性偏倚する弾性部材とを備えたことを特徴とする請求項１記載のカードコネクタ。
【請求項３】
前記カード押さえ蓋は、弾性偏倚する弾性部材と、前記カード押さえ蓋を前記ソケット本体に保持する保持具と、を備えたことを特徴とする請求項１記載のカードコネクタ。
【請求項４】
前記カード押え蓋には、カードを誘い込み導入する案内傾斜面が形成されていることを特徴とする請求項２または３記載のカードコネクタ。
【請求項５】
前記カード飛出し防止機構は、前記コネクタ本体に配設された支持部と、前記支持部の所定位置に配設された孔と、前記孔に挿入される軸と、前記軸に沿って滑動可能な前記カード押さえ蓋と、を備えたことを特徴とする請求項１記載のカードコネクタ。
【請求項６】
前記カード飛出し防止機構は、前記コネクタ本体に少なくとも１つ配設された突起部と、前記押さえ蓋に少なくとも１つ配設された突起部と、を有することを特徴とする請求項５記載のカードコネクタ。
【請求項７】
前記コネクタ本体は、前記カード本体を取り出すためのイジェクト機構を有していることを特徴とする請求項１記載のカードコネクタ。
【発明の詳細な説明】
【０００１】
【発明の属する技術分野】
本発明は、携帯電話機や電話機、ＰＤＡ（ｐｅｒｓｏｎａｌ　ｄｉｇｉｔａｌ　ａｓｓｉｓｔａｎｃｅ）、携帯型オーディオ、カメラ等の電子機器や情報端末機器等に取付けられるカードコネクタに係わるもので、特に、ＩＣカードやＳＤカード等のカードが挿入されるカードコネクタに関するものである。
【０００２】
【従来の技術】
近年、携帯電話機や電話機、ＰＤＡ（ｐｅｒｓｏｎａｌ　ｄｉｇｉｔａｌ　ａｓｓｉｓｔａｎｃｅ）、携帯型オーディオ、カメラ等の電子機器や情報端末機器等（以下、携帯電話機等と称す）においては、その機能向上が求められている。
【０００３】
この機能向上のために、携帯電話機等では、ＩＣチップと呼ばれるＩＣ部品が組込まれたＩＣカードやＳＤカード、ＳＩＭカード等のカードの利用がなされている。
【０００４】
かかる理由により、携帯電話機等では、このようなＩＣカードやＳＤカード、ＳＩＭカード等のカードを挿出入するカードコネクタが必要となる。
【０００５】
また、従来、このようなカードコネクタにおいて、カードの挿入方向にカードを長くして、その先端にアンテナを取付けて、無線を使用するカードがある。
このようなカードは、通常、アンテナ部を筐体から飛び出させて使用される。
【０００６】
しかしながら、このようなカードのアンテナ部が飛び出ている状態で、不用意に筐体を落した場合に、カードがコンクリートに当たると非常に大きな衝撃が加わり、カードコネクタをしばしば破損してしまうことがある。
【０００７】
さらにまた、市場の一般的な要求として、カードコネクタの高さを低くして低背化を図ると共に、十分な強度を有したカードコネクタが求められている。
【０００８】
このような要求されたカードコネクタの強度を達成するためには、例えば上面に金属板のカバー部材を有し、この金属板のカバー部材をコネクタ本体に対して組込むことが必要である。
【０００９】
また、所謂、リバースタイプ等の反転して使用されるカードコネクタにおいても同じ様な要求が見られる。
【００１０】
つまり、カードコネクタの低背化と、カードの捩じれに耐え得る強度が求められており、この要求を達成するためには、カードコネクタの上面部分に、例えば板金を使用している（例えば、特許文献１参照。）。
【００１１】
【特許文献１】
特開２００１−１４３８１５号（第２〜３頁、第１〜６図）
【００１２】
【発明が解決しようとする課題】
しかしながら、このようなカードコネクタにおいては、カード飛出し防止蓋が無い。
【００１３】
このため、このカードコネクタでは、カードが装着されたカードコネクタを手から滑らせて落した際、衝撃や振動等の起因により、カードがコネクタから飛出し、結果としてカードパッド部からコンタクト接触部が脱落してリードエラーが発生してしまう等の問題が生じる現象が多々見られた。
【００１４】
上述の課題点を鑑みて、本発明の目的は、コネクタ本体とカバー部材とを組み合わせて成り、カード挿入口に沿って滑動可能な飛出し防止蓋を有する飛出し防止機構を設けることにより、振動や衝撃等でカードが飛出すのを防止して、コンタクト接触部がカードパッド部から脱落すること無く接触されるカードコネクタを提供することにある。
【００１５】
【課題を解決するための手段】
上述の目的を達成するために、本発明のカードコネクタは、コネクタ本体と、前記コネクタ本体に組合せられるカバー部材と、前記コネクタ本体に配設されたコンタクト端子と、前記コネクタ本体のカード挿入口側に配設されたカード飛出し防止機構と、によって形成されるカードコネクタにおいて、前記カード飛出し防止機構は、前記コネクタ本体のカード挿入口に沿って滑動可能に設けられたカード押さえ蓋を有することを特徴とする。これによって、本発明のカードコネクタは、カード挿入時にカード押さえ蓋がカード挿入口に沿って滑動して落下時のカードの飛出しを防止することができるし、コネクタ本体とカバー部材とが一体化されて強化されて衝撃に耐え得る構造に形成され、しかも全体的に低背化を図って小形に製作することができるように構成できる。
【００１６】
本発明のその他の目的や特徴および利点は、添付図面に示される本発明の実施形態についての以下の詳細な説明から明らかである。
【００１７】
【発明の実施の形態】
（実施例１）
図１乃至図７は、本発明のカードコネクタの実施例１を示す図で、図１は、本発明のカードコネクタをカードが未だ挿入されずにカード押さえ蓋をロック状態で示す斜視図、図２は、図１の本発明のカードコネクタをカードがイジェクトされてカード押さえ蓋をオープン状態で示す斜視図で、図３は、図２の本発明のカードコネクタをカードがロックされてカード押さえ蓋をロック状態で示す斜視図、図４は、図１の本発明のカードコネクタをカードが未だ挿入されずにカード押さえ蓋をロック状態で示す正面図で、図５は、図４のカードコネクタをカバー部材が取り外された状態の同様な正面図、図６は、図５のカードコネクタにカードが挿入されてカード最押し込み位置でのカード最押し込み状態の正面図で、図７は、図６のカードコネクタのイジェクタロック位置でのカードロック状態の正面図である。また、図８乃至図１２は、本発明のカードコネクタにおけるカバー部材を取り外して示すコネクタ本体の正面図、左側面図、右側面図、平面図、底面図で、図１３は、図８のＸＩＩＩ−ＸＩＩＩ線に沿った断面部分図で、図１４は、図８のＸＩＶ−ＸＩＶ線に沿った断面部分図である。さらに、図１５乃至図１９は、本発明のカードコネクタにおけるカード押さえ蓋の正面図、左側面図、右側面図、平面図、底面図で、図２０は、図１５のＸＸ−ＸＸ線に沿った断面図である。また、図２９は、本発明の実施例１のカードコネクタにおいてカバー部材と半田付端子が一体化された変形例を示す斜視図で、図３０は、本発明の実施例１のカードコネクタにおいてイジェクタ機構の無い場合の別の変形例での、カバー部材が取り外された状態の正面図である。
【００１８】
先ず、図１乃至図７に示されるように、本発明の実施例１に示すカードコネクタ１は、コネクタ本体２と、このコネクタ本体２に組合せられるカバー部材３とによって偏平なハウジング形状に構成されて成る。
【００１９】
また、このコネクタ本体２の一方の側、すなわち前端側が開放されていて、カード挿入口４が形成されている。このカード挿入口４側にはカード飛出し防止機構７が設けられている。このカード飛出し防止機構７は、コネクタ本体２のカード挿入口４に沿って滑動可能に設けられたカード押え蓋８から構成されている。
【００２０】
さらに、本発明のカードコネクタ１の他方の側、すなわち後端側は閉鎖されていて、挿入されたＩＣカードやＳＤカード、ＳＩＭカード等のカードＣと電気的な接続をなす複数個のコンタクト５が設けられている。
【００２１】
これらコンタクト５は、コンタクト５の外方の端子部５ｂが外部端子として突出しており、本発明のカードコネクタ１が装着される電子機器や情報端末機器等のプリント配線やプリント回路等と半田付けによって適宜に接続されるようになっている。
【００２２】
カバー部材３の端部、すなわち側端部、の少なくとも一方には、図１乃至図７に示されるように、半田付端子１３が設けられており、プリント配線やプリント回路等に、半田付端子１３の半田付を行い、カバー部材３を取付けられるようにしている。
【００２３】
このような本発明のカードコネクタ１に用いられる、例えばＩＣカードやＳＤカードまたはＳＩＭカード等のカードＣは、一般のカードと同様に、挿入側の先端部分に複数個のパッド部が整列して設けられており、必要に応じて一方の角部が斜めに切り取られて面取り部が設けられている。この面取り部によって、カードＣがカードコネクタ１の両側の側壁１４にそれぞれ沿ってスムーズにスライドさせて案内できるようになっている。
【００２４】
本発明のカードコネクタ１には、カード挿入口４からＩＣカードやＳＤカード、ＳＩＭカード等のカードＣを挿入した時の、カードＣの後ろ差しや裏差しのような誤挿入を防止すると共に、挿入されたカードの浮き上がりを防止するための適宜な手段が設けられている。
【００２５】
さらに、カードコネクタ１には挿入されたカードＣをスムーズに取り出すためのイジェクタ機構１０が設けられている。
【００２６】
また、カードの浮き上りを防止する手段としては、コンタクト５の弾性力によってカードＣのパッド部を押圧することで、カードＣの浮き上りを好適に防止することができる。
【００２７】
先ず、図示されるように、本発明のカードコネクタ１において、コネクタ本体２は、適宜な合成樹脂材料などの電気絶縁材料によって成形して作られ、カバー部材３と組合せることにより中空の偏平なハウジング形状に作られる。この中空の偏平なハウジング形状は、ＩＣカードやＳＤカード、ＳＩＭカード等のカードＣが挿入されるように形成されている。また、このような電気絶縁材料のコネクタ本体２の一側に沿ってイジェクタ機構１０（図５乃至図７）が設けられており、カードＣをカードコネクタ１からスムーズに取り出すことができるようになっている。
【００２８】
例えば、イジェクタ機構１０は、コネクタ本体２の一方の側壁１４部分に沿って滑らかにスライドできるように形成されたほぼＬ字形のイジェクタ部材１１と、このイジェクタ部材１１を弾性附勢するコイルスプリングのような弾性部材１２とから構成されている。従って、イジェクタ機構１０は、この弾性部材１２の蓄勢された弾性力によってイジェクタ部材１１を押圧してカードＣを押出すように構成されている。なお、イジェクタ機構１０の構成は、このような構成に限られるものではなく、他の同様な構成のものを適宜に用いることができることは勿論である。
【００２９】
また、本発明のカードコネクタ１のカバー部材３は、図示されるような形状に、適宜な合成樹脂材料などの電気絶縁材料によって形成して作られる。このカバー部材３は、カードコネクタの高さを低くして低背化を図ると共に、十分な強度を持たせるために、合成樹脂材料の代わりに、ステンレス鋼板のような金属薄板材料から打抜き加工やプレス加工等によって作られた金属カバーとしても良い。
【００３０】
さらに、カバー部材３の前方側には、カード挿入口４が形成され、左右両側が折り曲げられて側壁１４、１４を覆うように設けられており、これら側壁１４、１４の外側の縁辺部分によってコネクタ本体２をしっかりと抱え込んで一体化されている。さらにまた、カバー部材３の端部に半田付端子１３を設け、プリント配線やプリント回路等に半田付けによって取付けられるようにしている。
【００３１】
この場合に、カバー部材３が金属カバーであれば、図２９に示すように、半田付端子１３を金属カバーと一体に形成できるため、部品点数を減らすことができる。
【００３２】
この半田付端子１３は、接地端子として、プリント配線やプリント回路等のアース電極に接地させることにより、接地端子を介して静電気を逃がすことができるため、静電気が蓄積する虞を解消することができる。
【００３３】
さらにまた、カバー部材３の後方側の端部には、複数個のコンタクト５が突出するための開口部分が設けられていて、図４、図５に示されるように、開口部分から突出し、内側に向ってそれぞれ折り曲げられていて外部端子としての端子部５ｂが設けられている。
【００３４】
従って、ＩＣカードやＳＤカード、ＳＩＭカード等のカードＣは、カードコネクタ１の前方側に形成されたカード挿入口４からカードコネクタ１内に挿入され、取り出し時には、イジェクタ機構１０のイジェクタ部材１１を介して弾性部材１２の弾性力によってカードＣを取り出しできるようになっている。
【００３５】
さらにまた、カードコネクタ１の後方側には複数個のコンタクト５が設けられている。
【００３６】
このコンタクト５は、カードコネクタ１内に挿入されたＩＣカードやＳＤカード、ＳＩＭカード等のカードＣのパッド部と接触して電気的に接続される。
【００３７】
これらコンタクト５を介して電子機器のプリント配線のコネクタ本体（図示しない）とカードＣは電気的に接続されるようになっている。
【００３８】
すなわち、このようなコンタクト５は、先端部分にＩＣカードやＳＤカード、ＳＩＭカード等のパッド部と接触して接続される弾性変位可能に円弧状に彎曲した接触弾性条片部５ａが形成されている。
【００３９】
また、コンタクト５の後端部分に電子機器や情報端末機器等のプリント配線のコネクタ本体と半田付けなどによって適宜に接続される端子部５ｂが設けられている。
【００４０】
このように構成された本発明のカードコネクタ１においては、ＩＣカードやＳＤカード、ＳＩＭカード等のカードＣとして例えば、ＩＣチップ等の電子部品が組み込まれたカードを用いることができる。
【００４１】
このようなカードＣがカード挿入口４からカードコネクタ１内に挿入される時に、正規の状態でカードＣが挿入された場合には、カードＣのパッド部がコンタクト５と正しく配置されて、コンタクト５の接触弾性条片部５ａがカードＣのパッド部の上に位置されて良好に接触されて接続される。
【００４２】
この場合に、コンタクト５の接触弾性条片部５ａは、カードＣの先端部分が差し込まれた時には、コンタクト５の接触弾性条片部５ａが、例えば図１において上方に押し上げられて弾性変形され、これに続いてカードＣのパッド部に対して適切な弾性接触圧力をもって当接されて良好に接続されるようになる。
【００４３】
これによって、カードＣは、パッド部から、コンタクト５を介して電子機器のプリント配線のコネクタ本体と電気的に好適に接続されるようになる。
【００４４】
また、仮に誤ってカードを後ろ向き（逆向き）で差込んでも、カードＣの後端部が、カード押さえ蓋８に当たってカードＣの挿入が阻止される。
【００４５】
このため、カード押さえ蓋８がストッパーとして有効的に作用し、カードＣの誤挿入を適切に防止することができる。
【００４６】
図示されるように、本発明のカードコネクタ１において、カードＣの飛出しを防止するカード飛出し防止機構７は、コネクタ本体２のカード挿入口４側の一端に滑動可能に設けられたカード押さえ蓋８を有している。このカード押さえ蓋８は、コネクタ本体２の上方の一端の支持台部１５上に所要の距離、横方向にスライド機構６によって滑動可能に、かつ弾性部材３０によって内方に向って弾性偏倚されるように設けられている。
【００４７】
従って、カード押さえ蓋８は、常時はロック位置に弾性部材３０によって弾性偏倚されて押された状態にあり、カードＣが挿入される時に、カード押さえ蓋８がカードＣによって外方に向い、弾性部材３０の弾性力に抗してオープン位置に押された状態になる。
【００４８】
このようなカード押さえ蓋８が装着される支持台部１５の構造が図８乃至図１４に明示されており、カード押さえ蓋８の構造が図１５乃至図２０に詳細に示されている。
【００４９】
先ず、図８乃至図１４に示されるように、カード押さえ蓋８が取り付けられる支持台部１５は、コネクタ本体２の上部の一方の端部に外方に突出するようにほぼ平坦な台板状に形成されている。この支持台部１５には、外端に直立する支持壁１６が設けられていてほぼＬ字形に形成されている。
【００５０】
支持壁１６は、カード押さえ蓋８のストッパー部として作用すると共に、内側に内方に向って突出する軸部１７が設けられている。この軸部１７に対して、弾性部材３０の一端部が装着され、他方、カード押さえ蓋８の図１７に明示されている孔部２７に、弾性部材３０の他端部が嵌められている。
【００５１】
この弾性部材３０は、カード押さえ蓋８をロック位置に向って弾性偏倚するように押圧しており、カード装着時やカード抜き出し時に弾性部材３０が押されて圧縮されるように形成されている。
【００５２】
また、支持台部１５には、ガイド部材としてのガイドレール１８と、このガイドレール１８を形成する溝１９とが設けられている。これらガイドレール１８の溝１９には、カード押さえ蓋８の図１６に示されるロック爪２６が挿入されて、カード押さえ蓋８が外れることなく横方向に滑動できるように案内されている。
【００５３】
さらにまた、カード押さえ蓋８の滑動距離を制限するためのロック位置のストッパー部２０と、オープン位置のストッパー部２１とが設けられていて、これらガイドレール１８と溝１９とによってスライド機構６が構成されている。
【００５４】
このようなコネクタ本体２の支持台部１５に対して、ロック位置とオープン位置との間の制限された距離を横方向に滑動可能にカード押さえ蓋８が取り付けられている。
【００５５】
このカード押さえ蓋８の構造については図１５乃至図２０に明示されている。図示されるように、カード押さえ蓋８は、ほぼ直方体状の蓋本体２２から形成されている。この蓋本体２２の内側上端部に案内傾斜面２３を形成するように切り落されたカード導入案内面が設けられており、残りの上面は平坦な平面２４となっている。
【００５６】
また、カード押さえ蓋８の底面部分には、細長く切り欠かれた溝部２５が設けられている。さらに、外方端部に内側に向って向き合うように突出する一対のロック爪２６が設けられ、これらロック爪２６がコネクタ本体２の支持台部１５におけるガイドレール１８の溝１９に係合される。
【００５７】
ロック爪２６は、ガイドレール１８に沿って横方向に滑動でき、ストッパー部２０、２１と当接することで横方向の滑動を制限するように作用している。
【００５８】
また、カード押さえ蓋８の右方の中央部分には孔部２７が設けられている。この孔部２７の内側壁は、この内側壁に突出する軸部２８が設けられている。この軸部２８に、弾性部材３０の一端部が嵌め込まれて係合されることによって、弾性部材３０が取り付けられている。
【００５９】
弾性部材３０は、カード押さえ蓋８を内方のロック位置に向って常時は弾性偏倚しているが、カード挿入時にはカード押さえ蓋８がオープン位置に向って外方に押されて滑動することにより、弾性部材３０が圧縮されるようになっている。
【００６０】
さらにまた、カード押さえ蓋８の一方の側面には、横方向に延びる溝２９が設けられている。この溝２９は、カード押さえ蓋８がロック位置とオープン位置との間を滑動する際に、保持具として用いられる、例えば金属製の保持金具３１の脚部３２の案内として作用するようになっている。
【００６１】
このようにコネクタ本体２の支持台部１５には、横方向にロック位置とオープン位置との間を滑動可能に設けられたカード押さえ蓋８を外れないようにしっかりと取り付けるために保持金具３１が設けられている。この保持金具３１は、断面ほぼコの字形をなしており、上方の脚部３２がカード押さえ蓋８の溝２９に嵌め込まれ、下方の脚部３３が支持台部１５の孔３４に差し込まれて支持台部１５にしっかりと取り付けられている。
【００６２】
したがって、保持金具３１は、カード押さえ蓋８の滑動の際には、上方の脚部３２に対してカード押さえ蓋８の溝１９が滑動するように形成されている。
【００６３】
このように構成されたカード飛出し防止機構７を有する本発明のカードコネクタ１の実際の使用時の状態について次に説明するものとする。
【００６４】
先ず、図１のカードＣが未だ装着されず、カード押さえ蓋８がロック位置にあってロック状態にある場合に、カードＣがカード挿入口４からカードコネクタ１に差し込まれると、カードＣが正常な状態で差し込まれれば、カードＣの切り欠き部がカード押さえ蓋８のカード導入案内面である案内傾斜面２３に当接してカード押さえ蓋８をスライド機構６によって外方に向って押して移動させる。
【００６５】
この一連の動作により、カード押え蓋８は弾性部材３０を押圧して支持台部１５上を滑動し、カードＣがカードコネクタ１内に挿入された図２の状態となる。
【００６６】
この図２の状態から、さらにカードＣがしっかりと挿入されて十分に押し込まれて図６のカード最押し込み状態になると、カード押さえ蓋８は、弾性部材３０によって内方に向って押されて支持台部１５のスライド機構６によりガイドレール１８の溝１９に沿って滑動して、カードＣの上端部の上に掛かって、図７のカードロック状態になる。
【００６７】
従って、このカードロック状態において、カードＣは、カード押さえ蓋８によって飛び出しが抑えられた状態になるので、カードＣの不慮の飛び出しが防止されるようになる。また、この場合に、イジェクタ機構１０は、弾性部材１２が圧縮された図７の状態にある。
【００６８】
図７を参照すると、イジェクタロック位置とは、カードＣがカード押さえ蓋８によってしっかりとロックされたカードロック状態にあると共に、イジェクタ機構１０がロックされたイジェクタロック状態にも同時にある。
【００６９】
従って、このようなカードロック状態において、不用意にカードコネクタ１を落しても、衝撃や振動等でのカードＣの飛び出しがカード飛出し防止機構７によって防止されてカードＣが好適に保護されることになる。
【００７０】
したがって、人為的にカード押さえ蓋８をオープン位置に動かして開かない限りは、カードＣの飛出しを防止するので、常にコンタクト５の弾性接触条片部５ａがカードＣのパッド部から脱落することなく接触させることが可能となる。
【００７１】
したがって、結果として、カードロック状態は、カードＣのパッド部とカードコネクタ１のコンタクト５との良好な接触を維持してリードエラーの発生を阻止し、かつカードＣの飛び出しを好適に防止することができる。
【００７２】
このように、本発明のカードコネクタ１は、図７に示されるカードロック状態にあるため、カードＣが内部の弾性部材１２によって常に排出方向への押圧荷重が掛かっている状態となる。
【００７３】
このため、カードＣが排出されようとしているが、カード押さえ蓋８によってカードＣがカードロック状態にロックされていて飛出すことができない。
【００７４】
従って、このカードロック状態において、カード押さえ蓋８をオープン方向に手でスライドさせれば、カード押さえ蓋８は図３の状態から図２の状態へと、弾性部材３０を押して圧縮し、カード押さえ蓋８がカードＣの上端部から外れる。
【００７５】
これにより、カードＣは、弾性部材１２の弾性力によってイジェクタ機構１０のイジェクタ部材１１を介して排出されるようになる。
【００７６】
上述したように構成された本発明のカードコネクタ１によれば、コネクタ本体２と、このコネクタ本体２に組合せられるカバー部材３とによって中空の偏平なハウジング形状に形成される。また、カード挿入口４に沿って横方向に滑動可能にカード押さえ蓋８を有するカード飛出し防止機構７を設けている。
【００７７】
したがって、カードカード飛出し防止機構７により、誤ってカードコネクタ１を落した時の衝撃によるカードＣの飛出しを良好に防止することができる。
【００７８】
これにより、カードコネクタ１では、カードＣを損傷しないように保護すると共に、カードパッドから接触部が脱落してリードエラーが発生しないように保護することができ、カードコネクタ１と共にカードＣ自体を良好に保護することができる。
【００７９】
また、図３０に示されるように、イジェクタ機構１０を設けない場合も、変形例の１つとして考えられる。
【００８０】
この場合、カードコネクタ１に挿入されたカードＣは、カード最押し込み状態になると、コンタクト５と適切な弾性接触圧力をもって当接保持されるようになる。
【００８１】
カードＣを取り出す際は、カードＣの最押し込み状態から手などによってカードＣを取り出す。
【００８２】
（実施例２）
本発明のカードコネクタの実施例２が図２１乃至図２８に示されており、図２１は、本発明の実施例２におけるカードコネクタをカードが未だ挿入されずにカード押さえ蓋をオープン状態で示す斜視図で、図２２は、図２１の本発明の実施例２におけるカードコネクタをカードがイジェクトされてカード押さえ蓋をオープン状態で示す斜視図、図２３は、図２１の本発明の実施例２におけるカードコネクタをカードがロックされてカード押さえ蓋をオープン状態で示す斜視図で、図２４は、図２１の本発明の実施例２におけるカードコネクタをカードがロックされてカード押さえ蓋をロック状態で示す斜視図、図２５は、図２１の本発明の実施例２におけるカード押さえ蓋のスライド機構部分を示す部分斜視図で、図２６は、図２１の本発明の実施例２におけるカード押さえ蓋を示す下方からの斜視図、図２７は、図２１の本発明の実施例２におけるカードコネクタを反対側から見て示す斜視図で、図２８は、図２１の本発明の実施例２におけるカードコネクタのイジェクタ機構を示す、カバー部材が取り外された状態の正面図である。さらに、図３１は、本発明の実施例２のカードコネクタにおいてカバー部材と半田付端子が一体化された別の変形例を示す斜視図で、図３２は、本発明の実施例２のカードコネクタにおいてイジェクタ機構の無い場合の別の変形例での、カバー部材が取り外された状態の正面図である。
【００８３】
図２１乃至図２８に示されるように、本発明の実施例２におけるカードコネクタ５０の基本構成は、コネクタ本体５２と、このコネクタ本体５２に組合せられるカバー部材５３とによって偏平なハウジング形状に構成されて成る。
【００８４】
このコネクタ本体５２の一方の側、すなわち前端側が開放されていてカード挿入口５４が形成されている。さらに、このカード挿入口５４側にはカード飛出し防止機構５７が設けられている。
【００８５】
また、本発明のカードコネクタ５０の他方の側、すなわち後端側は閉鎖されていて、挿入されたＩＣカードやＳＤカード、ＳＩＭカード等のカードＣと電気的な接続をなす複数個のコンタクト５５が設けられている。
【００８６】
コンタクト５５の外方の端子部５５ｂが外部端子として突出しており、本発明のカードコネクタ５０が装着される電子機器や情報端末機器等のプリント配線やプリント回路等と半田付けによって適宜に接続されるようになっている。
【００８７】
本発明のこの実施例２に示すカードコネクタ５０と、実施例１との差異は、カード押さえ蓋５８がオープン位置とロック位置との間を手動で移動操作されて位置決めされること、コネクタ本体５２とカード押さえ蓋５８とにリブ６６、６７、６８、６９が設けられていること等が挙げられる。
【００８８】
このような本発明のカードコネクタ５０に用いられるＩＣカード、ＳＤカードまたはＳＩＭカード等のカードＣは、上述したように一般のカードと同様に構成されたカードを使用することができる。
【００８９】
さらにまた、このような本発明のカードコネクタ５０には、カード挿入口５４からＩＣカードやＳＤカード、ＳＩＭカード等のカードＣを挿入した時の、カードＣの後ろ差しや裏差しのような誤挿入を防止すると共に、挿入されたカードの浮き上がりを防止するための適宜な手段が設けることができる。
【００９０】
それに加え、カードコネクタ５０は、挿入されたカードＣをスムーズに取り出すためのイジェクタ機構８０を設けることもでき、カードＣの浮き上りを防止する手段も同様に設けることができることは勿論である。
【００９１】
図示されるように、本発明のカードコネクタ５０において、コネクタ本体５２は、適宜な合成樹脂材料などの電気絶縁材料によって成形して作られ、カバー部材５３と組合せられ、カードＣが挿入できるように強固な中空の偏平なハウジング形状に形成されている。また、このような電気絶縁材料のコネクタ本体５２の一側に沿って、滑らかにスライドできるように形成されたほぼＬ字形のイジェクタ部材８１と、このイジェクタ部材８１を弾性附勢するばね部材のような弾性部材８２とを有するイジェクタ機構８０が、先の実施例１と同様に設けることができ、カードＣをカードコネクタ５０からスムーズに取り出すことができるようになっている。
【００９２】
このようなイジェクタ機構８０は、図２８に示されるように、弾性部材８２の蓄勢された弾性力によってイジェクタ部材８１を押圧してカードＣを押し出すように構成されている。勿論、イジェクタ機構８０は、このような構成に限られるものではなく、他の同様な構成のものを適宜に使用できるものである。
【００９３】
但し、図３２に示されるように、イジェクタ機構を設けない場合も、変形例の１つとして考えられる。
【００９４】
この場合に、カードコネクタ５０に挿入されたカードＣは、カード最押し込み状態になると、コンタクト５５と適切な弾性接触圧力をもって当接保持される。
【００９５】
また、カードＣを取り出す際は、カードＣの最押し込み状態から手などによってカードＣを取り出す。
【００９６】
本発明のこの実施例２におけるカードコネクタ５０のカバー部材５３は、先の実施例１におけると同様に、適宜な合成樹脂材料などの電気絶縁材料によって成形して作られる。
【００９７】
また、このカバー部材５３は、カードコネクタの高さを低くして低背化を図ると共に、十分な強度を持たせるために、ステンレス鋼のような金属薄板材料から打抜き加工やプレス加工等によって作られた金属カバーとしても良い。
【００９８】
さらに、カバー部材５３は、前方側にカード挿入口５４が形成され、左右の両側が折り曲げられてコネクタ本体５２の側壁６４を覆うように設けられている。
【００９９】
さらにまた、カバー部材５３の端部、すなわち側端部に半田付端子７０を設け、プリント配線やプリント回路等に半田付により取付けられるようにしている。
【０１００】
この半田付端子７０は、接地端子として、プリント配線やプリント回路等のアース電極に接地させることにより、接地端子を介して静電気を逃すことができるため、静電気が蓄積する虞を解消することができる。
【０１０１】
この場合に、カバー部材５３が金属カバーであれば、図３１に示されるように、半田付端子７０を、金属カバーであるカバー部材５３と一体に形成できるため、部品点数を減らすことができる。
【０１０２】
また、カバー部材５３の後方側の端部には、同様に複数個のコンタクト５５が突出するための開口部分が設けられていて、図示されるように、外部端子としての端子部５５ｂを形成するように折曲されている。
【０１０３】
従って、ＩＣカードやＳＤカード、ＳＩＭカード等のカードＣは、カードコネクタ５０の前方側のカード挿入口５４からカードコネクタ５０内に挿入されて、取り出し時には、内蔵のイジェクタ機構８０によってカードＣを取り出しできるようになっている。
【０１０４】
さらにまた、このようなコンタクト５５は、先端部分にＩＣカード、ＳＤカードまたはＳＩＭカード等のカードＣのパッド部と接触して接続される弾性変位可能に円弧状に彎曲した接触弾性条片部５５ａが形成される共に、後端部分の端子部５５ｂが電子機器や情報端末機器等のプリント配線のコネクタ本体と半田付けなどによって適宜に接続されるように設けられている。
【０１０５】
図２１乃至図２８に示されるように、本発明の実施例２におけるカードコネクタ５０では、カードＣの飛出しを防止するカード飛出し防止機構５７が、コネクタ本体５２のカード挿入口５４側の一端に滑動可能に設けられたカード押さえ蓋５８を有している。
【０１０６】
このカード押さえ蓋５８は、コネクタ本体５２の上方端において側壁５４とほぼ中央の支持壁部５９との間に設けられたスライド機構５６のガイドロッド部材としてのシャフト６５に沿って設けられている。
【０１０７】
なお、このカード押さえ蓋５８は、シャフト６５に沿って横方向に所要の距離だけ手動操作によって滑動可能となっている。さらにまた、このカード押さえ蓋５８は、手動によってオープン位置からロック位置に操作されるように構成されており、オープン位置やロック位置には、複数個のリブ６６、６７、６８、６９を利用してラッチ係合されることによって、位置決めされるように形成されている。
【０１０８】
図示されるように、コネクタ本体５２は、上方端部のほぼ中央に突出した支持壁部５９を有し、側壁６４との間に、スライド機構５６のガイドロッド部材としての断面円形のシャフト６５が設けられており、このシャフト６５に沿って滑動可能にカード押さえ蓋５８が取り付けられている。
【０１０９】
カード押さえ蓋５８は、中心にスライドのためのシャフト６５が挿入されて貫通する孔６３が設けられた断面ほぼＬ字形の蓋本体を形成するほぼ垂直な本体壁部６０と、この本体壁部６０の上部から水平方向に突出する水平壁部６１とを有している。
【０１１０】
また、カード押さえ蓋５８には、本体壁部６０の下面に一対のリブ６８、６９が間隔を置いて設けられており、さらに、リブ６８とリブ６９の間と、リブ６９の外側とに窪み部がそれぞれ形成されている。
【０１１１】
従って、カード押さえ蓋５８は、これらリブ６８、６９により、上部の水平壁部６１の操作部６２を指先で持って、あるいは指先で押してカード押さえ蓋５８を横方向に移動することができるように形成されている。
【０１１２】
このようなカード押さえ蓋５８の一対のリブ６８、６９に対応して、コネクタ本体５２の上端部には、図２５に明示されるように、支持壁部５９の近傍に一対の上方に突出するリブ６６、６７が間隔を置いて設けられている。これらリブ６６、６７の間と、リブ６６、６７の左右両側には、窪み部がそれぞれ形成されていて、このようなコネクタ本体５２のリブ６６、６７とカード押さえ蓋５８のリブ６６、６７とが協働することによって、カード押さえ蓋５８をロック位置とオープン位置とに位置決めするように配置されている。
【０１１３】
すなわち、カード押さえ蓋５８をシャフト６５に沿ってスライドさせて移動する時に、これらリブ６６、６７、６８、６９が互いに当接し合う。そして、相互にリブ６６、６７、６８、６９を乗り越えるようにカード押さえ蓋５８を移動すべく押す時に、シャフト６５の弾性を利用してシャフト６５が適宜に撓なることによって、リブ６６、６７、６８、６９同士が相互に乗り越えるようにスライドさせることができる。
【０１１４】
この場合に、リブ６６、６７、６８、６９は何等全く互いに削り合うこと無くスライドさせることができるものであって、高いスライド耐久性を得られることが可能になる。
【０１１５】
これと共に、弾性を有するシャフト６５と複数個のリブ６６、６７、６８、６９とを設けることによって、カード押さえ蓋５８のスライド時にクリック感を付与することができ、カード押さえ蓋５８のロック位置とオープン位置への移動をクリック音で知ることができる。
【０１１６】
また、カード押さえ蓋５８の移動に際して、オープン位置とロック位置とが、一方の側壁６４と中央の支持壁部５９とによって適切に決めることができる。
【０１１７】
さらにまた、リブ６６、６７、６８、６９は、コネクタ本体５２とカード押さえ蓋５８のいずれか一方にオープン位置用とロック位置用との２つのリブ６６、６７を設け、他方には少なくとも１つのリブ６８を設ければ良く、必要に応じては他方にも２つのリブ６８、６９を設けるようにすることもできる。
【０１１８】
このように構成された本発明の実施例２におけるカードコネクタ５０においては、カード押さえ蓋５８のスライド時に、シャフト６５が弾性を有していて撓うことができるために、リブ６６、６７、６８、６９が互いに削り合うこと無くスライドさせることができ、高いスライド耐久性と耐摩耗性とを有するように可能にすることができる。
【０１１９】
また、弾性を有するシャフト６５とリブ６６、６７、６８、６９とを組み合わせて設けることで、カード押さえ蓋５８のスライド時にラッチ係合によるクリック感を付与することができ、カード押さえ蓋５８のロック位置とオープン位置とをクリック音で知らせることができ、かつ所要のロック位置やオープン位置に、カード押さえ蓋５８を好適に位置決めして配置することができる。
【０１２０】
本発明の実施例２において、このように構成されたカード飛出し防止機構５７を有するカードコネクタ５０の実際の使用時の状態について次に説明するものとする。
【０１２１】
先ず、図２１のカードＣが未だ装着されず、カード押さえ蓋５８がオープン位置にある場合に、カードＣがカード挿入口５４からカードコネクタ５０内に差し込まれると、カードＣが正常な状態で差し込まれると、カードＣがカードコネクタ５０内に挿入された図２２の状態となる。
【０１２２】
この図２２の状態から、さらにカードＣがしっかりと挿入されて十分に押し込まれて図２３のカード押し込み状態になったならば、オープン位置に位置されていたカード押さえ蓋５８の水平壁部６１の操作部６２を指先でもって押してカード押さえ蓋５８をシャフト６５に沿ってスライドさせて支持壁部５９に当接させれば、カード押さえ蓋５８の水平壁部６１がカードＣの上端部の上に掛かって図２４のカードロック状態になる。
【０１２３】
従って、このカードロック状態において、カードＣは、カード押さえ蓋５８によって飛び出しが抑えられた状態にあるので、カードＣの不慮の飛び出しが防止されるようになる。
【０１２４】
また、この場合に、カードコネクタ５０に内蔵されている、図２８に示されるイジェクタ機構８０は、上述の実施例１におけると同様に、弾性部材８２が圧縮された状態にあり、かつカードＣがカード押さえ蓋５８によってしっかりとロックされたカードロック状態にある。
【０１２５】
さらにまた、この場合のカード押さえ蓋５８のオープン位置からロック位置への移動に際しては、カード押さえ蓋５８のリブ６８、６９が、コネクタ本体５２側のリブ６６、６７にラッチ係合してリブ６６、６７を乗り越えるのをクリック音で知ることができると共に、リブ６６、６７、６８、６９によってカード押さえ蓋５８が支持壁部５９に当接したロック位置にしっかりと位置決めされるようになる。
【０１２６】
従って、このようなカードロック状態において、不用意にカードコネクタ５０を落しても、衝撃や振動等でのカードＣの飛び出しがカード飛出し防止機構５７によって防止されてカードＣが好適に保護される。
【０１２７】
よって、カード飛出し防止機構５７は、人為的にカード押さえ蓋５８を開かない限りは、カードＣの飛出しを防止するので、常にコンタクト接触部がカードパッド部から脱落することなく接触させることが可能であり、良好な接触を維持してリードエラーの発生を阻止し、カードＣの飛び出しを好適に防止することができる。
【０１２８】
このように、本発明のカードコネクタ５０は、図２４に示されるカードロック状態において、カードＣが内部のばね部材等の弾性部材８２によって常に排出方向への荷重が掛かっている状態にあるために、カードＣが排出されようとしているが、カード押さえ蓋５８によってカードＣがカードロック状態にロックされていて飛出すことができない状態にある。
【０１２９】
従って、このカードロック状態において、カード押さえ蓋５８をオープン方向に手で操作してスライドさせれば、カード押さえ蓋５８は、図２４の状態から図２３の状態へと、カード押さえ蓋５８がシャフト６５に沿ってスライドしてカードＣの上端部から外れる。
【０１３０】
この結果、カードＣは、カードコネクタ５０内蔵の弾性部材８２の弾性力によって排出されるようになる。
【０１３１】
また、この場合に、カード押さえ蓋５８がオープン位置に移動される際に、カード押さえ蓋５８側のリブ６８、６９がコネクタ本体５２側のリブ６６、６７を乗り越えてオープン位置に位置決めされるのをクリック音で知ることができる。
【０１３２】
上述したように構成された上述の実施例のカードコネクタ５０によれば、コネクタ本体５２と、このコネクタ本体５２に組合せられる金属板のカバー部材５３とによって中空の偏平なハウジング形状に形成され、カード挿入口５４に沿って横方向に滑動可能にカード押さえ蓋５８を有するカード飛出し防止機構５７を設けている。
【０１３３】
したがって、カードコネクタ５０は、誤ってカードコネクタ５０を落した時の衝撃によるカードＣの飛出しを良好に防止することができ、カードＣを損傷しないように保護すると共に、カードパッド部からコンタクト接触部が脱落してリードエラーが発生しないように保護することができる。
【０１３４】
【発明の効果】
以上の説明から明らかなように、本発明のカードコネクタによれば、カード挿入口に沿って滑動可能な飛出し防止蓋を有する飛出し防止機構を設けることにより、振動や衝撃等でカードが飛出すのを防止して、コンタクト接触部がカードパッド部から脱落すること無く接触される。
【図面の簡単な説明】
【図１】本発明のカードコネクタの実施例１を示す図で、カードが未だ挿入されずにカード押さえ蓋をロック状態で示す斜視図である。
【図２】図１の本発明のカードコネクタをカードがイジェクトされてカード押さえ蓋をオープン状態で示す斜視図である。
【図３】図２の本発明のカードコネクタをカードがロックされてカード押さえ蓋をロック状態で示す斜視図である。
【図４】図１の本発明のカードコネクタをカードが未だ挿入されずにカード押さえ蓋をロック状態で示す正面図である。
【図５】図４のカードコネクタをカバー部材が取り外された状態の同様な正面図である。
【図６】図５のカードコネクタにカードが挿入されてカード最押し込み位置でのカード最押し込み状態の正面図である。
【図７】図６のカードコネクタのイジェクタロック位置でのカードロック状態の正面図である。
【図８】本発明のカードコネクタにおけるカバー部材を取り外して示すコネクタ本体の正面図である。
【図９】図８のコネクタ本体の左側面図である。
【図１０】図８のコネクタ本体の右側面図である。
【図１１】図８のコネクタ本体の平面図である。
【図１２】図８のコネクタ本体の底面図である。
【図１３】図８のＸＩＩＩ−ＸＩＩＩ線に沿った断面部分図である。
【図１４】図８のＸＩＶ−ＸＩＶ線に沿った断面部分図である。
【図１５】本発明のカードコネクタにおけるカード押さえ蓋の正面図である。
【図１６】図１５のカード押さえ蓋の左側面図である。
【図１７】図１５のカード押さえ蓋の右側面図である。
【図１８】図１５のカード押さえ蓋の平面図である。
【図１９】図１５のカード押え蓋の底面図である。
【図２０】
図１５のＸＸ−ＸＸ線に沿った断面図である。
【図２１】
本発明のカードコネクタの実施例２を示す図で、カードが未だ挿入されずにカード押さえ蓋をオープン状態で示す斜視図である。
【図２２】
図２１の本発明の実施例２におけるカードコネクタをカードがイジェクトされてカード押さえ蓋をオープン状態で示す斜視図である。
【図２３】
図２１の本発明の実施例２におけるカードコネクタをカードがロックされてカード押さえ蓋をオープン状態で示す斜視図である。
【図２４】
図２１の本発明の実施例２におけるカードコネクタをカードがロックされてカード押さえ蓋をロック状態で示す斜視図である。
【図２５】
図２１の本発明の実施例２におけるカード押さえ蓋のスライド機構部分を示す部分斜視図である。
【図２６】
図２１の本発明の実施例２におけるカード押さえ蓋を示す下方からの斜視図である。
【図２７】
図２１の本発明の実施例２におけるカードコネクタを反対側から見た斜視図である。
【図２８】
図２１のカードコネクタのカバー部材を取り除いたコネクタ本体におけるイジェクタ機構とコンタクトとを示す平面図である。
【図２９】
本発明の実施例１のカードコネクタにおいてカバー部材と半田付端子が一体化された変形例を示す斜視図である。
【図３０】本発明の実施例１のカードコネクタにおいてイジェクタ機構の無い場合の変形例での、カバー部材を取り外して示す正面図である。
【図３１】本発明の実施例２のカードコネクタにおいてカバー部材と半田付端子が一体化された別の変形例を示す斜視図である。
【図３２】本発明の実施例２のカードコネクタにおいてイジェクタ機構の無い場合の別の変形例での、カバー部材を取り外して示す正面図である。
【符号の説明】
１　　　　カードコネクタ
２　　　　コネクタ本体
３　　　　カバー部材
４　　　　カード挿入口
５　　　　コンタクト
６　　　　スライド機構
７　　　　カード飛出し防止機構
８　　　　カード押さえ蓋
９　　　　弾性部材
１０　　　イジェクタ機構
１１　　　イジェクタ部材
１２　　　弾性部材
１３　　　半田付端子
１４　　　側壁
１５　　　支持台部
１６　　　支持壁
１７　　　軸部
１８　　　ガイドレール
１９　　　溝
２０　　　ストッパー部
２１　　　ストッパー部
２２　　　蓋本体
２３　　　案内傾斜面
２４　　　平面
２５　　　溝部
２６　　　ロック爪
２７　　　孔部
２８　　　軸部
２９　　　溝
３０　　　弾性部材
３１　　　保持金具
３２　　　脚部
３３　　　脚部
３４　　　孔
５０　　　カードコネクタ
５２　　　コネクタ本体
５３　　　カバー部材
５４　　　カード挿入口
５５　　　コンタクト
５６　　　支持壁部
５７　　　カード飛出し防止機構
５８　　　カード押さえ蓋
５９　　　蓋本体
６０　　　本体壁部
６１　　　水平壁部
６２　　　操作部
６３　　　孔
６４　　　側壁
６５　　　シャフト
６６　　　リブ
６７　　　リブ
６８　　　リブ
６９　　　リブ
７０　　　半田付端子
８０　　　イジェクタ機構
８１　　　イジェクタ部材
８２　　　弾性部材
【図１】
2004087480.tif 000003
【図２】
2004087480.tif 000004
【図３】
2004087480.tif 000005
【図４】
2004087480.tif 000006
【図５】
2004087480.tif 000007
【図６】
2004087480.tif 000008
【図７】
2004087480.tif 000009
【図８】
2004087480.tif 000010
【図９】
2004087480.tif 000011
【図１０】
2004087480.tif 000012
【図１１】
2004087480.tif 000013
【図１２】
2004087480.tif 000014
【図１３】
2004087480.tif 000015
【図１４】
2004087480.tif 000016
【図１５】
2004087480.tif 000017
【図１６】
2004087480.tif 000018
【図１７】
2004087480.tif 000019
【図１８】
2004087480.tif 000020
【図１９】
2004087480.tif 000021
【図２０】
2004087480.tif 000022
【図２１】
2004087480.tif 000023
【図２２】
2004087480.tif 000024
【図２３】
2004087480.tif 000025
【図２４】
2004087480.tif 000026
【図２５】
2004087480.tif 000027
【図２６】
2004087480.tif 000028
【図２７】
2004087480.tif 000029
【図２８】
2004087480.tif 000030
【図２９】
2004087480.tif 000031
【図３０】
2004087480.tif 000032
【図３１】
2004087480.tif 000033
【図３２】
2004087480.tif 000034